(57)【要約】【課題】ブラシ成形体がハンドル部から抜けにくく、ブラシ成形体の後端部でヘッド部の基部との隙間が生じにくく、ブラシ成形体が型崩れしにくいマッサージ用の歯ぐきケア用具を提供することを目的とする。【解決手段】硬質樹脂からなる棒状のハンドル体１０と、軟質樹脂からなるブラシ成形体と２０を備え、ハンドル体１０は、ハンドル部１１と、ハンドル部１１の先端に設けられ、ブラシ成形体２０内に差し込まれてブラシ成形体２０が被せられるヘッド部１２とを備え、前記軟質樹脂は、ショアＡ硬度が２０〜８０であり、ヘッド部１２には凸部１５が１個以上設けられている、マッサージ用の歯ぐきケア用具１。【選択図】図８
2020062196.tif 000002
【特許請求の範囲】
【請求項１】
硬質樹脂からなる棒状のハンドル体と、軟質樹脂からなるブラシ成形体とを備え、
前記軟質樹脂は、ショアＡ硬度が２０〜８０であり、
前記ハンドル体は、ハンドル部と、前記ハンドル部の先端に設けられ、前記ブラシ成形体内に差し込まれて前記ブラシ成形体が被せられる、前記ハンドル部の長さ方向に延びるヘッド部とを備え、
前記ブラシ成形体は、前記長さ方向に延び、前記ヘッド部が差し込まれる差し込み孔を有し、
前記ヘッド部には、前記長さ方向と交差する方向に突出する凸部が１個以上設けられている、マッサージ用の歯ぐきケア用具。
【請求項２】
前記ブラシ成形体の内側に前記凸部に対応する凹部が設けられ、前記ブラシ成形体が前記ヘッド部に被せられた状態で前記凸部が前記凹部に嵌まり込む、請求項１に記載の歯ぐきケア用具。
【請求項３】
前記ヘッド部が、基部と、前記基部の先端に設けられ、前記長さ方向と直交する方向に拡幅された拡幅部とを備え、前記拡幅部の表面に前記凸部が設けられ、
正面視における前記拡幅部の最大幅（ただし、前記最大幅は前記拡幅部の前記凸部を含まない部分で算出される。）Ｗｍａｘ（ｍｍ）と前記基部の幅Ｗ１（ｍｍ）との比Ｗｍａｘ／Ｗ１が１．６〜３．４である、請求項１又は２に記載の歯ぐきケア用具。
【請求項４】
前記ヘッド部に前記凸部が２個以上設けられ、前記凸部の高さが０．３〜１．０ｍｍであり、隣り合う前記凸部同士の間隔が２．０〜５．０ｍｍである、請求項１〜３のいずれか一項に記載の歯ぐきケア用具。
【請求項５】
前記ヘッド部に被せられた状態の前記ブラシ成形体の後端の外径と、前記ハンドル部の先端の外径が同じである、請求項１〜４のいずれか一項に記載の歯ぐきケア用具。
【請求項６】
前記基部の長さ方向の長さが３．０〜８．０ｍｍである、請求項３〜５のいずれか一項に記載の歯ぐきケア用具。
【発明の詳細な説明】
【技術分野】
【０００１】
本発明は、歯ぐきケア用具に関する。
【背景技術】
【０００２】
一般に、マッサージ用の歯ぐきケア用具は、棒状のハンドル部と、その一端に設けられたブラシ成形体とからなる。歯ぐきケア用具のハンドル部には、使用性の面から、歯ブラシと同様に硬質材料が用いられている。しかし、軟組織である歯ぐきに接触するブラシ成形体の材質としては、主に弾性材料が用いられている。
【０００３】
このような物性の異なる材料を組み合わせた歯ぐきケア用具の製造方法としては、一体成形、糊付け、組み立ての３パターンが考えられる。一体成形は、コストが高くなるため製品化が困難である。糊付けは、手間がかかるため生産性が悪くなる。そのため、歯ぐきケア用具は、ハンドル部とブラシ成形体をそれぞれ作製し、それらを組み立てることが前提となっている。
例えば、ハンドル部の先端に設けられたブラシ固定部がブラシ成形体内に差し込まれて、前記ブラシ成形体が前記ハンドル部の先端に取り付けられるマッサージ用の歯ぐきケア用具が提案されている（特許文献１、２）。
【先行技術文献】
【特許文献】
【０００４】
【特許文献１】特開２０１５−２１１７５０号公報
【特許文献２】特開２０１０−５１７９５号公報
【発明の概要】
【発明が解決しようとする課題】
【０００５】
特許文献１、２のような歯ぐきケア用具は、使用中にブラシ成形体がハンドル部から抜け、誤飲による窒息等が生じる可能性がある。また、ブラシ成形体の後端部でヘッド部の基部との隙間が生じやすく、該隙間に水が浸入して菌が繁殖したり、汚れが溜まったりするため、衛生面が劣っている。また、ブラシ成形体の装着時や使用時にかかる負荷によってブラシ成形体が型崩れすることがある。
【０００６】
本発明は、組み立てが容易で、ブラシ成形体がハンドル部から抜けにくく、ブラシ成形体の後端部でヘッド部の基部との隙間が生じにくく、ブラシ成形体が型崩れしにくいマッサージ用の歯ぐきケア用具を提供することを目的とする。
【課題を解決するための手段】
【０００７】
本発明は、以下の構成を有する。
［１］硬質樹脂からなる棒状のハンドル体と、軟質樹脂からなるブラシ成形体とを備え、
前記軟質樹脂は、ショアＡ硬度が２０〜８０であり、
前記ハンドル体は、ハンドル部と、前記ハンドル部の先端に設けられ、前記ブラシ成形体内に差し込まれて前記ブラシ成形体が被せられる、前記ハンドル部の長さ方向に延びるヘッド部とを備え、
前記ブラシ成形体は、前記長さ方向に延び、前記ヘッド部が差し込まれる差し込み孔を有し、
前記ヘッド部には、前記長さ方向と交差する方向に突出する凸部が１個以上設けられている、マッサージ用の歯ぐきケア用具。
［２］前記ブラシ成形体の内側に前記凸部に対応する凹部が設けられ、前記ブラシ成形体が前記ヘッド部に被せられた状態で前記凸部が前記凹部に嵌まり込む、［１］に記載の歯ぐきケア用具。
［３］前記ヘッド部が、基部と、前記基部の先端に設けられ、前記長さ方向と直交する方向に拡幅された拡幅部とを備え、前記拡幅部の表面に前記凸部が設けられ、
正面視における前記拡幅部の最大幅（ただし、前記最大幅は前記拡幅部の前記凸部を含まない部分で算出される。）Ｗｍａｘ（ｍｍ）と前記基部の幅Ｗ１（ｍｍ）との比Ｗｍａｘ／Ｗ１が１．６〜３．４である、［１］又は［２］に記載の歯ぐきケア用具。
［４］前記ヘッド部に前記凸部が２個以上設けられ、前記凸部の高さが０．３〜１．０ｍｍであり、隣り合う前記凸部同士の間隔が２．０〜５．０ｍｍである、［１］〜［３］のいずれかに記載の歯ぐきケア用具。
［５］前記ヘッド部に被せられた状態の前記ブラシ成形体の後端の外径と、前記ハンドル部の先端の外径が同じである、［１］〜［４］のいずれかに記載の歯ぐきケア用具。
［６］前記基部の長さ方向の長さが３．０〜８．０ｍｍである、［３］〜［５］のいずれかに記載の歯ぐきケア用具。
【発明の効果】
【０００８】
本発明によれば、組み立てが容易で、ブラシ成形体がハンドル部から抜けにくく、ブラシ成形体の後端部でヘッド部の基部との隙間が生じにくく、ブラシ成形体が型崩れしにくいマッサージ用の歯ぐきケア用具を提供できる。
【図面の簡単な説明】
【０００９】
【図１】本発明の歯ぐきケア用具の一例を示した正面図である。
【図２】図１の歯ぐきケア用具のハンドル体を示した正面図である。
【図３】図１の歯ぐきケア用具のハンドル体を示した側面図である。
【図４】図２のハンドル体のヘッド部周辺を拡大した拡大正面図である。
【図５】図１の歯ぐきケア用具のブラシ成形体を示した正面図である。
【図６】図１の歯ぐきケア用具のブラシ成形体を示した斜視図である。
【図７】図５のブラシ成形体のＩ−Ｉ断面図である。
【図８】ブラシ成形体をハンドル部のヘッド部に取り付けた状態を示した断面図である。
【発明を実施するための形態】
【００１０】
本発明の歯ぐきケア用具は、歯ぐきのマッサージ用のケア用具である。
以下、本発明の歯ぐきケア用具の一例を示して説明する。なお、以下の説明において例示される図の寸法等は一例であって、本発明はそれらに必ずしも限定されるものではなく、その要旨を変更しない範囲で適宜変更して実施することが可能である。
【００１１】
本実施形態の歯ぐきケア用具１は、図１に示すように、棒状のハンドル体１０と、ブラシ成形体２０とを備えている。ハンドル体１０とブラシ成形体２０とは別々の部材であり、ブラシ成形体２０はハンドル体１０に着脱自在に取り付けられるようになっている。
本発明では、ハンドル体にブラシ成形体を取り付けた状態において、ブラシ成形体の複数の突起部からなるブラシ部が配置される側の面を正面、その反対側の面を背面とする。
【００１２】
ハンドル体１０は、図２〜４に示すように、棒状のハンドル部１１と、ハンドル部の１１の先端に設けられた、ハンドル部１１の長さ方向に延びるヘッド部１２とを備えている。歯ぐきケア用具１では、ハンドル体１０のヘッド部１２を後述のブラシ成形体２０内に差し込むことで、ヘッド部１２にブラシ成形体２０を被せて取り付けるようになっている。
【００１３】
この例のハンドル部１１の正面視形状は、図２に示すように、先端から後端に向かって一定の幅で延び、その後に徐々に幅が広くなった後に狭くなるように曲線的に変化し、後端部が略円形状になっている。ハンドル部１１の側面視形状は、図３に示すように、先端から後端に向かって、長さ方向の中央部の幅広の部分で背面側にＳ字状に反り、ハンドル部１１の先端寄りの部分と後端寄りの部分は略平行になっている。これにより、奥歯の歯ぐきをマッサージする際にヘッド部１２が届きやすくなる。また、ハンドル部１１が適度に撓むため、ヘッド部１２との境目の強度を確保することができる。
ハンドル部１１の長さ方向に直交する方向に切断した断面形状は、略楕円状になっている。
【００１４】
なお、本発明において、ハンドル部の形状は、この例の形状には限定されず、強度、操作性、意匠性等を考慮して適宜設定できる。
ハンドル部１１の寸法は、特に限定されず、適宜設定できる。例えば、ハンドル部１１の長さは、１００〜２００ｍｍとすることができる。
【００１５】
本発明において、ヘッド部は、ブラシ成形体を取り付けた状態においてブラシ成形体で被覆される部分である。ヘッド部の後端は、ハンドル体にブラシ成形体が取り付けられた状態における、ブラシ成形体の後端に対応する位置である。
ヘッド部１２は、図２〜４に示すように、ハンドル部１１の先端から長さ方向に延びる棒状の基部１３と、基部１３の先端に設けられ、長手方向に直交する幅方向に拡幅された板状の拡幅部１４とを備えている。拡幅部１４の表面には、長さ方向に直交する方向に全周にわたって突出した凸部１５が設けられている。すなわち、拡幅部１４の表面には、長さ方向に直交する方向に突出した環状の凸部１５が、長さ方向に間隔を空けて複数設けられている。
【００１６】
基部１３は、ハンドル部１１の先端と拡幅部１４の後端とを繋ぐ部分である。この例の基部１３と拡幅部１４の接続部分における正面視での縁形状は、後端から先端に向かう方向において、曲率中心が途中で拡幅部の縁に対して外側から内側に逆転するＳ字の曲線状に広がっている。基部１３の先端は、正面視での基部１３と拡幅部１４の接続部分の縁形状において、後端から先端に向かって、曲率中心が拡幅部の縁に対して外側から内側に逆転する地点である。基部１３の後端は、ヘッド部１２の後端であり、ハンドル体１０にブラシ成形体２０が取り付けられた状態における、ブラシ成形体２０の後端に対応する位置である。
【００１７】
この例では、基部１３の後端の外径φａは、ハンドル部１１の先端の外径φｄよりも小さくなっている。これにより、ハンドル体１０におけるハンドル部１１とヘッド部１２の境界部分には、全周にわたって段差が形成されている。
【００１８】
ハンドル部１１の先端の外径φｄに対するヘッド部１２の基部１３の後端の外径φａの比φａ／φｄは、０．５〜０．９が好ましく、０．６５〜０．７５がより好ましい。比φａ／φｄが前記範囲の下限値以上であれば、ハンドル体１０の耐折強度が充分に高くなる。比φａ／φｄが前記範囲の上限値以下であれば、ブラシ成形体２０による基部１３への締め付けが確保され、ハンドル部から抜けにくくなる。これは、ブラシ成形体２０の後端部とハンドル部の先端の境界に起こる“ずれ”に対して特に効果があり、ブラシ成形体２０と基部１３との隙間に水などが浸入して衛生面が劣ることを抑制する。
【００１９】
なお、ハンドル部１１の先端の外径φｄは、ハンドル部１１の長さ方向に直交する方向の断面形状が円以外の場合は、その断面形状の外接円の直径を意味するものとする。また、ハンドル部１１の先端の角部が丸みを帯びている場合、ハンドル部１１の先端の外径φｄは、ハンドル部の後端から先端に向けて、その丸みを帯びた角部の付け根部分の外径を意味するものとする。
また、基部１３の後端の外径φａは、基部１３の長さ方向に直交する方向の断面形状が円以外の場合は、その断面形状の外接円の直径を意味するものとする。
【００２０】
ハンドル部１１の先端の外径φｄは、４．０〜６．０ｍｍが好ましく、４．５〜５．５ｍｍがより好ましい。ハンドル部１１の先端の外径φｄが前記範囲の下限値以上であれば、ハンドル体１０の耐折強度が充分となる。ハンドル部１１の先端の外径φｄが前記範囲の上限値以下であれば、口腔内での操作性が良好になる。
基部１３の後端の外径φａは、３．０〜４．０が好ましく、３．２〜３．６がより好ましい。基部１３の後端の外径φａが前記範囲の下限値以上であれば、ハンドル体１０の耐折強度が充分となる。基部１３の後端の外径φａが前記範囲の上限値以下であれば、ブラシ成形体２０をヘッド部１２に取り付けやすく、また、口腔内での操作性が良好になる。
【００２１】
この例のハンドル部１１の先端の角部１１ａは、丸みを帯びた状態になっている。
ハンドル部１１の先端の角部１１ａの円弧の曲率半径は、０．５〜１．５ｍｍが好ましく、０．７〜１．３ｍｍがより好ましい。角部１１ａの円弧の曲率半径が前記範囲の下限値以上であれば、ハンドル部１１の先端とヘッド部１２の基部１３との境界部分における耐折強度が充分となる。角部１１ａの円弧の曲率半径が前記範囲の上限値以下であれば、ブラシ成形体２０が抜けにくくなり、またブラシ成形体２０とハンドル部１１との境界面に対し、ブラシ成形体２０の後端部のズレが生じにくくなる。
【００２２】
ヘッド部１２の基部１３の長さ方向の長さは、３．０〜８．０ｍｍが好ましく、５．０〜７．０ｍｍがより好ましい。基部１３の長さが前記範囲の下限値以上であれば、ブラシ成形体２０によるヘッド部１２の締め付けが充分となるため、ブラシ成形体２０が抜けにくくなり、またブラシ成形体２０とハンドル部１１の境界、即ち基部１３の後端部との間に隙間が生じにくくなる。基部１３の長さが前記範囲の上限値以下であれば、ハンドル体１０の耐折強度が充分となる。また、ブラシ成形体２０をヘッド部１２に取り付けやすくなる。
【００２３】
ヘッド部１２の拡幅部１４の正面視形状は、楕円状になっている。なお、拡幅部の正面視形状は、楕円状には限定されず、適宜設定できる。
正面視におけるヘッド部１２の拡幅部１４の最大幅Ｗｍａｘは、５．０〜１０．０ｍｍが好ましく、６．５〜８．５ｍｍがより好ましい。拡幅部１４の最大幅Ｗｍａｘが前記範囲の下限値以上であれば、ブラシ成形体２０との接触面積が多くなり、かつ、基部１３との幅方向における長さの差が多くなるため、ブラシ成形体２０がヘッド部１２から抜けにくくなり、またブラシ成形体２０の後端部でヘッド部１２の基部１３との間に隙間が生じにくくなる。拡幅部１４の最大幅Ｗｍａｘが前記範囲の上限値以下であれば、ヘッド部１２及びブラシ成形体２０が大きくなり過ぎないため、口腔内での操作性が良好になる。また、ヘッド部１２をブラシ成形体２０に差し込む際の作業性が良好になる。
なお、ヘッド部の拡幅部の最大幅Ｗｍａｘとは、正面視で凸部を除いて拡幅部における最も幅広い部分の幅を意味する。即ち、最大幅Ｗｍａｘは拡幅部の凸部を含まない部分で算出される。
【００２４】
正面視における拡幅部１４の最大幅Ｗｍａｘと基部１３の幅Ｗ１（ｍｍ）との比Ｗｍａｘ／Ｗ１は、１．６〜３．４が好ましく、２．０〜３．０がより好ましい。比Ｗｍａｘ／Ｗ１が前記範囲の下限値以上であれば、基部１３との幅方向における長さの差が多くなるため、ブラシ成形体２０がヘッド部１２から抜けにくくなり、またブラシ成形体２０の後端部において基部１３との間に隙間が生じにくくなる。比Ｗｍａｘ／Ｗ１が前記範囲の上限値以下であれば、ヘッド部１２及びブラシ成形体２０が大きくなり過ぎないため、口腔内での操作性が良好になる。また、基部１３が小さくなり過ぎないため、基部１３におけるブラシ成形体２０の締め付けが保たれ、抜けにくくなる。
基部１３の長さ方向において幅が変化している場合、基部１３の幅Ｗ１は、基部１３の幅の最小値を意味するものとする。
【００２５】
ヘッド部１２の拡幅部１４の最大厚みは、２．５〜４．０ｍｍが好ましく、２．８〜３．５ｍｍがより好ましい。拡幅部１４の最大厚みが前記範囲の下限値以上であれば、ヘッド部１２の耐折強度に優れる。拡幅部１４の最大厚みが前記範囲の上限値以下であれば、ヘッド部１２及びブラシ成形体２０が大きくなり過ぎないため、口腔内での操作性が良好になる。また、ヘッド部１２をブラシ成形体２０に差し込む際の作業性が良好になる。
なお、ヘッド部の拡幅部の最大厚みとは、拡幅部における凸部１５を除いた最も肉厚な部分の厚みを意味する。即ち、最大厚みは拡幅部の凸部を含まない部分で算出される。
【００２６】
この例では、ヘッド部１２の拡幅部１４に５個の凸部１５が設けられているが、凸部１５の数は５個には限定されず、１個でもよい。
凸部１５の数は、２〜８個が好ましく、４〜６個がより好ましい。凸部１５の数が前記範囲の下限値以上であれば、ブラシ成形体２０の突起部２３の形状、配列において、使用時の局所的な負荷による型崩れがしづらくなる。また、ブラシ成形体２０が抜けにくくなり、またブラシ成形体２０の後端部でヘッド部１２の基部１３との間に隙間が生じにくくなる。凸部１５の数が前記範囲の上限値以下であれば、ヘッド部１２をブラシ成形体２０に差し込む際の作業性が良好になる。
【００２７】
凸部１５の高さは、０．３〜１．０ｍｍが好ましく、０．４〜０．７ｍｍがより好ましい。凸部１５の高さが前記範囲の下限値以上であれば、ブラシ成形体２０が抜けにくくなり、またブラシ成形体２０の後端部でヘッド部１２の基部１３との間に隙間が生じにくくなる。凸部１５の高さが前記範囲の上限値以下であれば、ヘッド部１２及びブラシ成形体２０が大きくなり過ぎないため、口腔内での操作性が良好になる。また、ヘッド部１２をブラシ成形体２０に差し込む際の作業性が良好になる。
なお、凸部の高さとは、凸部の根元から先端までの距離である。拡幅部の表面が湾曲している場合、凸部における先端側と後端側の付け根同士を直線で結んだときの前記直線と凸部の先端との距離を凸部の高さとする。
【００２８】
この例のように凸部１５が２個以上存在する場合、隣り合う凸部１５の間隔は、２．０〜５．０ｍｍが好ましく、３．０〜４．０ｍｍがより好ましい。隣り合う凸部１５の間隔が前記範囲の下限値以上であれば、ブラシ成形体２０が抜けようとする動きに対して各々の凸部１５が充分に引っ掛かりやすくなるため、ブラシ成形体２０が抜けにくくなり、またブラシ成形体２０の後端部でヘッド部１２の基部１３との間に隙間が生じにくくなる。隣り合う凸部１５の間隔が前記範囲の上限値以下であれば、ヘッド部１２に取り付けたブラシ成形体２０の形状がヘッド部１２の形状に容易に追従し、隣り合う凸部１５の間がブラシ成形体２０で埋められて隙間が生じにくくなり、ブラシ成形体２０の突起部２３の形状、配列において、使用時の局所的な負荷による型崩れがしづらくなる。また、ブラシ成形体２０が抜けにくくなる。なお、隣り合う凸部１５の間隔とは、凸部の頂部同士で算出するものとする（縁間距離ではない）。
【００２９】
最も後端側に配置される凸部１５の後端側の部分は、基部１３の先端側の部分と重なっていることが好ましい。すなわち、最も後端側に配置される凸部１５は、拡幅部１４から基部１３までまたがるように設けられていることが好ましい。
ハンドル部１１の先端から最も後端側の凸部１５までの距離ｄ１は、３．０〜８．０ｍｍが好ましく、５．０〜７．０ｍｍがより好ましい。距離ｄ１が前記範囲の下限値以上であれば、ブラシ成形体２０が抜けにくくなり、またブラシ成形体２０とヘッド部１２の間に隙間が生じにくくなる。距離ｄ１が前記範囲の上限値以下であれば、ハンドル体１０の耐折強度を確保しやすい。なお、ハンドル部１１の先端から最も後端側の凸部１５までの距離とは、ハンドル部１１の先端から該凸部の根元の後端側の付け根までの距離のことである。
【００３０】
凸部１５の長さ方向に直交する方向に切断したときの断面形状は、特に限定されず、半円状、矩形状を例示できる。なかでも、凸部１５の断面形状は、半円状が好ましい。これにより凸部根元での応力集中が緩和され、ハンドル体１０の耐折強度が低下しにくく、またブラシ成形体２０の着脱時にブラシ成形体２０が破損することを抑制しやすい。
【００３１】
本発明では、ヘッド部１２の拡幅部１４の表面に凸部１５を環状に設ける態様には限定されない。例えば、ヘッド部１２の拡幅部１４の正面側や背面側において幅方向に突条に設けられていてもよい。また、ヘッド部１２の拡幅部１４の表面に、円柱状、角柱状等の複数の凸部が設けられていてもよい。また、ヘッド部１２の拡幅部１４の表面に突条の凸部１５が螺旋状に設けられていてもよい。
凸部１５が複数設けられている場合、形状が異なる凸部１５が混在していてもよい。
【００３２】
ハンドル体１０は、硬質樹脂からなる。
硬質樹脂としては、一例として、曲げ弾性率（ＪＩＳ  Ｋ７１７１）が１０００ＭＰａ以上２２００ＭＰａ以下である樹脂を例示できる。具体的には、例えば、ポリプロピレン樹脂（ＰＰ）、ポリアセタール樹脂（ＰＯＭ）、ポリスチレン樹脂（ＰＳ）、ポリエチレンテレフタレート樹脂（ＰＥＴ）、ポリブチレンテレフタレート樹脂（ＰＢＴ）、アクリロニトリルブタジエンスチレン樹脂（ＡＢＳ）、ポレアリレート樹脂（ＰＡＲ）、ポリカーボネート樹脂（ＰＣ）、アクリロニトリルスチレン樹脂（ＡＳ）を例示できる。これらの中でも、コスト面を考慮すると汎用樹脂であるＰＰが好ましい。
【００３３】
ブラシ成形体２０は、図５〜７に示すように、正面視形状が楕円状の本体部２１と、本体部２１の後端から延びる管状部２２と、本体部２１の正面に設けられた複数の突起部２３からなるブラシ部２４と、を備えている。
ブラシ成形体２０は、内部に長さ方向に延びる差し込み孔２６を有し、管状部２２の後端に差し込み孔２６の開口部である差込口２２ａが形成されている。図８に示すように、ハンドル体１０のヘッド部１２を差込口２２ａからブラシ成形体２０の差し込み孔２６に差し込むことで、図１に示すように、ハンドル体１０のヘッド部１２にブラシ成形体２０を被せて取り付けることができる。
【００３４】
突起部２３は、先端部が丸みを帯びた柱状である。
ブラシ部２４における突起部２３の高さ（毛丈）は、３．０〜７．０ｍｍが好ましく、４．０〜６．０ｍｍがより好ましい。突起部２３の高さが前記範囲の下限値以上であれば、突起部が硬くなりすぎず、使用感が良好になる。また、薬剤と併用してマッサージをする際に、薬剤のブラシ部での保持機能が向上する。突起部２３の高さが前記範囲の上限値以下であれば、突起部２３が過度に撓みにくくなり、充分なマッサージ実感が得られやすい。さらに、薬剤が泡立つことを抑制しやすいため、口腔内での有効成分の滞留性が向上する。
【００３５】
突起部２３の太さは、０．５〜２．０ｍｍが好ましく、０．７〜１．５ｍｍがより好ましい。突起部２３の太さが前記範囲の下限値以上であれば、突起部２３が過度に撓むことを抑制しやすく、充分なマッサージ実感が得られやすい。突起部２３の太さが前記範囲の上限値以下であれば、突起部２３が撓みやすくなり、使用感が良好になる。
なお、突起部の太さとは、突起部の直径を意味し、突起部の長さ方向に直交する断面の形状が円以外の場合は、その断面形状の外接円の直径を意味するものとする。突起部の太さが高さ方向において変化する場合、突起部の太さは、突起部の基端の太さを意味するものとする。
【００３６】
ブラシ部２４における突起部２３の密度は、０．２〜０．８本／ｍｍ２が好ましく、０．４〜０．６本／ｍｍ２がより好ましい。突起部２３の密度が前記範囲の下限値以上であれば、疎毛感が抑えられ、マッサージ実感が良好になり、また薬剤の保持機能が向上する。突起部２３の密度が前記範囲の上限値以下であれば、刺激が強くなりすぎず、使用感が良好になる。また薬剤の保持機能が高くなりすぎず、口腔内全体に薬剤を行き渡らせることが容易になる。さらに、薬剤が泡立つことを抑制しやすいため、口腔内での有効成分の滞留性が向上する。なお、密度の算出は、ブラシ部の総突起数を、最も外周に配置される隣接した突起部同士の最外郭の接線を結んで形成される面積（ｍｍ２）で除したものとする。
【００３７】
ブラシ成形体２０をヘッド部１２に被せた状態において、ブラシ成形体２０における本体部２１の背面からブラシ部２４の先端までの距離Ｄは、５．５〜１５．０ｍｍが好ましく、７．５〜１２．５ｍｍがより好ましい。距離Ｄが前記範囲の下限値以上であれば、ブラシ部２４の各突起部２３の高さを確保しやすいため、マッサージ時の刺激が強くなりすぎず、使用感が良好になる。また、本体部２１の背面にヘッド部１２の凸部１５の形状が浮き出にくく、本体部２１の背面に凹凸が生じにくいため、使用感が良好になる。また、ブラシ成形体２０をハンドル体１０のヘッド部１２に被せる際にブラシ成形体２０が破損することを抑制しやすい。距離Ｄが前記範囲の上限値以下であれば、ブラシ成形体２０が長軸方向に長くなりすぎないので、口腔内での操作性が良好になる。
【００３８】
ブラシ成形体２０の本体部２１の正面から背面に向かう方向の肉厚は、０．７〜３．５ｍｍが好ましい。
ブラシ成形体２０の本体部２１の内側に凹部２５を含まない部分の正面から背面に向かう方向の肉厚（突起部２３の根元から本体部２１の内面までの距離）は０．７〜１．２ｍｍが好ましい。前記肉厚を前記範囲にすることで、組み立て効率が向上し、また形崩れを抑止することができる。
ブラシ成形体２０の本体部２１の先端部及び幅方向の端部、すなわちブラシ成形体２０をヘッド部１２に取り付けた状態の正面視でヘッド部１２が存在していない部分の正面から背面に向かう方向の肉厚は、２．５〜３．５ｍｍが好ましい。前記肉厚を前記範囲にすることで、口腔内の操作性を確保しつつ、口腔内の当たり心地（クッション性）を向上させることができる。
【００３９】
ブラシ成形体２０がヘッド部１２から抜けにくくなり、ブラシ成形体２０とヘッド部１２の間に隙間が生じにくくなる点から、ヘッド部１２に被せられていない状態のブラシ成形体２０の管状部２２の後端の内径φｃは、ヘッド部１２の基部１３の後端の外径φａよりも小さいことが好ましい。なお、基部１３の断面、差込口２２ａの形状が円以外の場合は、外接円の外径で算出するものとする。
【００４０】
ヘッド部１２の基部１３の後端の外径φａと、ヘッド部１２に被せられていない状態のブラシ成形体２０の管状部２２の後端の内径φｃとの差φａ−φｃは、０．２〜０．５ｍｍが好ましく、０．３５〜０．４５ｍｍがより好ましい。差φａ−φｃが前記範囲の下限値以上であればブラシ成形体２０によるヘッド部１２の締め付けが充分になるため、ブラシ成形体２０が抜けにくくなり、またブラシ成形体２０とヘッド部１２の間に隙間が生じにくくなる。差φａ−φｃが前記範囲の上限値以下であれば、ヘッド部１２をブラシ成形体２０に差し込む際の作業性が良好になる。
【００４１】
ブラシ成形体２０の本体部２１の内側には、ヘッド部１２の凸部１５に対応する凹部２５が環状に形成されている。ブラシ成形体２０がヘッド部１２に被せられた状態においては、ヘッド部１２の凸部１５がブラシ成形体２０の内側に形成された凹部に嵌まり込む。このように、ブラシ成形体２０をヘッド部１２に被せた状態でヘッド部１２の凸部１５とブラシ成形体２０の凹部２５が嵌合することで、ブラシ成形体２０が抜けにくくなり、ブラシ成形体２０とヘッド部１２の間に隙間が生じにくくなる。また、ヘッド部１２に被せたブラシ成形体２０が型崩れしにくくなるため、使用感がより良好になる。
【００４２】
ブラシ成形体２０をヘッド部１２に被せていない状態において、凹部２５の深さは、０．３〜１．０ｍｍが好ましく、０．４〜０．７ｍｍがより好ましい。凹部２５の深さが前記範囲の下限値以上であれば、ブラシ成形体２０が抜けにくくなり、またブラシ成形体２０とヘッド部１２の間に隙間が生じにくくなる。凹部２５の深さが前記範囲の上限値以下であれば、ブラシ成形体２０が大きくなり過ぎないため、口腔内での操作性が良好になる。
凹部２５の深さは、凸部１５の高さに対応していることが好ましい。なお、本発明の効果を損なわない範囲であれば、凹部２５の深さは凸部１５の高さに対応していなくてもよい。なお、凹部の深さとは、凹部の開口縁から最底部までの距離である。拡幅部の表面が湾曲している場合、凹部における先端側と後端側の開口縁同士を直線で結んだときの前記直線と凹部の最底部との距離を凹部の深さとする。
【００４３】
凹部２５が２個以上存在する場合、隣り合う凹部２５の間隔は、２．０〜５．０ｍｍが好ましく、３．０〜４．０ｍｍがより好ましい。隣り合う凹部２５の間隔が前記範囲内であれば、ブラシ成形体２０が抜けにくく、またブラシ成形体２０の後端部でヘッド部１２の基部１３との間に隙間が生じにくくなる。なお、隣り合う凹部２５の間隔とは、凹部の最底部同士で算出するものとする（縁間距離ではない）。
【００４４】
ブラシ成形体２０の内側に形成される凹部２５の数は、ヘッド部１２に設けられる凸部１５の数に対応していることが好ましい。なお、ブラシ成形体２０の内側に形成される凹部２５の数は、ヘッド部１２に設けられる凸部１５の数に対応していなくてもよい。例えば、凹部２５の数は、ヘッド部１２に設けられた凸部１５の数よりも少なくてもよい。
【００４５】
凹部２５の長さ方向に直交する方向に切断したときの断面形状は、特に限定されず、半円状、矩形状を例示できる。凹部２５の断面形状は、凸部１５の断面形状に対応していることが好ましい。なお、凹部２５の断面形状は、凸部１５の断面形状に対応していなくてもよい。
【００４６】
ブラシ成形体２０における最も後端側の凹部２５の後端側の開口縁と差込口２２ａとの距離ｄ２は、３．０〜８．０ｍｍが好ましく、５．０〜７．０ｍｍがより好ましい。距離ｄ２が前記範囲の下限値以上であれば、ブラシ成形体２０が抜けにくくなり、またブラシ成形体２０とヘッド部１２の間に隙間が生じにくくなる。距離ｄ２が前記範囲の上限値以下であれば、ハンドル体１０の耐折強度を確保しやすい。
【００４７】
ヘッド部１２に被せられた状態のブラシ成形体２０の管状部２２の後端の外径φｂと、ハンドル部１１の先端の外径φｄは、同じであることが好ましい。これにより、ヘッド部１２にブラシ成形体２０を被せた状態において、ブラシ成形体２０の後端とハンドル部１１の先端との境界部分で、ブラシ成形体２０の管状部２２の外面とハンドル部１１の外面に段差がなくなる。そのため、口腔内における操作時にブラシ成形体２０の管状部２２が引っ掛かって捲れることが抑制される。
この例では、ブラシ成形体２０の管状部２２の厚みを、ハンドル体１０におけるハンドル部１１の先端とヘッド部１２の基部１３の後端との段差分とすることで、外径φｂと外径φｄを同じにできる。
【００４８】
軟質樹脂のショアＡ硬度は、２０〜８０であり、４０〜６０が好ましい。軟質樹脂のショアＡ硬度が前記範囲の下限値以上であれば、ブラシ成形体がヘッド部から抜けにくくなり、またブラシ成形体とヘッド部との間に隙間ができにくい。また、充分なマッサージ実感が得られやすい。軟質樹脂のショアＡ硬度が前記上限値以下であれば、使用感が良好である。また、ヘッド部１２に取り付けたブラシ成形体２０の形状がヘッド部１２の形状に容易に追従しやすくなるため、ブラシ成形体２０とヘッド部１２の間に隙間が生じにくく、ブラシ成形体２０が抜けにくくなる。また、ブラシ成形体２０をハンドル体１０のヘッド部１２に容易に取り付けることができる。
また、軟質樹脂のショアＡ硬度が前記範囲内であれば、ブラシ成形体２０をハンドル体１０のヘッド部１２に取り付けたときに型崩れしにくく、使用時の局所的な負荷においても型崩れがしづらくなり、使用感が良好になる。
なお、ショアＡ硬度は、ＪＩＳ  Ｋ６２５３に準拠して測定される硬度を意味する。
【００４９】
ブラシ成形体２０を構成する軟質樹脂としては、特に限定されず、シリコンゴムを例示できる。シリコンゴムとしては、天然ゴムや合成ゴムと同様にロール作業で可塑化させて形成されるミラブル型、例えば、ビニルメチルシリコンゴム、フェニルメチルシリコンゴム、フルオロシリコンゴムを例示できる。この他にも、低粘度の液状で、室温又は加熱により硬化してゴム形状となる液状シリコン、例えば、縮合型シリコン、不可型シリコンを例示できる。この他に熱可塑性エラストマーを用いることができる。熱可塑性エラストマーとしては、例えば、スチレン系、塩化ビニル系、オレフィン系、ウレタン系、ポリエステル系、ニトリル系、ポリアミド系、フッ素系、塩素化ポリエチレン系、塩素化エチレンコポリマー架橋体アロイ系、エステルハロゲン系ポリマー系等が挙げられる。これらの中でも、ビニルメチルシリコンゴム、スチレン系エラストマーが、柔軟性を付与でき、薬剤や劣化に耐性があることから好ましい。また、柔軟性等を向上させるため可塑剤を添加してもよい。
スチレン系エラストマーとしては、スチレン−ブタジエン−スチレンブロック共重合体、スチレン−イソプレン−スチレンブロック共重合体、スチレン−エチレン／ブチレン−スチレンブロック共重合体、スチレン−エチレン／プロピレン−スチレンブロック共重合体、部分水添スチレン−エチレン／ブチレン−スチレンブロック共重合体、スチレン（エチレン−エチレン／プロピレン）−スチレンブロック共重合体等が挙げられる。
【００５０】
本発明の歯ぐきケア用具の製造方法は、特に限定されない。例えば、ハンドル体とブラシ成形体をそれぞれ射出成形により製造する方法を例示できる。
【００５１】
以上説明したように、本発明の歯ぐきケア用具においては、ハンドル体のヘッド部に１個以上の凸部が設けられ、かつブラシ成形体が特定のショアＡ硬度の軟質樹脂からなる。これにより、ヘッド部にブラシ成形体が取り付けられた状態において、ブラシ成形体がヘッド部をしっかりと締め付け、ブラシ成形体の内側に凸部が引っ掛かった状態となる。そのため、使用時にブラシ成形体が予期せずヘッド部から抜け、誤飲等が生じることを抑制できる。
また、本発明の歯ぐきケア用具では、異なる材質のハンドル体とブラシ成形体を組み合わせるが、ブラシ成形体を形成する軟質樹脂のショアＡ硬度が特定の範囲に制御されているため、ブラシ成形体とヘッド部の間に隙間が生じにくく、衛生面にも優れている。
【００５２】
また、軟質樹脂で形成されたブラシ成形体は、凸部を設けたヘッド部に被せる際や、使用時における局所的な圧力負荷により、伸びて型崩れしやすい傾向がある。しかし、ブラシ成形体を形成する軟質樹脂のショアＡ硬度が特定の範囲に制御されていることで、ブラシ成形体の型崩れを抑制でき、優れた使用感が得られる。
また、本発明の歯ぐきケア用具は、ブラシ成形体を形成する軟質樹脂のショアＡ硬度が特定の範囲に制御されているため、組み立てが容易である。
【００５３】
なお、本発明の歯ぐきケア用具は、前記した歯ぐきケア用具１には限定されない。例えば、ハンドル体のヘッド部に設けられる凸部の数は５個でなくてもよい。また、凸部はヘッド部の長さ方向に交差する方向であればよく、長さ方向に直交する方向でなくてもよい。
ヘッド部の拡幅部は板状でなくてもよく、棒状等であってもよい。
ブラシ成形体の本体部の正面視形状は、楕円でなくてもよい。
本発明の歯ぐきケア用具は、ブラシ成形体の内側に凹部が形成されていないものであってもよい。
【実施例】
【００５４】
以下、実施例によって本発明を具体的に説明するが、本発明は以下の記載によっては限定されない。
［実施例１］
射出成形によってハンドル体とブラシ成形体を成形し、図１〜８に例示した歯ぐきケア用具１を作製した。
ブラシ成形体を形成する軟質樹脂としては、ショアＡ硬度が５０のシリコンゴム（商品名「Ｓｉ５２１１ＣＰＩＮ２」、錦城護謨社製）を使用した。
ブラシ成形体においては、ブラシ部の突起部の密度を０．５本／ｍｍ２、突起部の高さを５．０ｍｍ、突起部の太さを１．０ｍｍ、本体部の背面からブラシ部の先端までの距離Ｄを１０．０ｍｍ、凹部の数を５個、最も後端側の凹部と差込口との距離ｄ２を６．０ｍｍ、隣り合う凹部の間隔を３．５ｍｍ、凹部の深さを０．５ｍｍ、ヘッド部に被せられていない状態の管状部の後端の内径φｃを３．０ｍｍ、ヘッド部に被せられた状態の管状部の後端の外径φｂを５．０ｍｍとした。
【００５５】
ハンドル体を形成する硬質樹脂としては、曲げ弾性率が１３５０ＭＰａのポリプロピレン（商品名「Ｊ−７５０ＨＰ」、プライムポリマー社製）を使用した。
ハンドル体においては、正面視における拡幅部の最大幅Ｗｍａｘを７．５ｍｍ、最大厚みを３．０ｍｍ、凸部の数を５個、ハンドル部の先端から最も後端側の凸部までの距離ｄ１を６．０ｍｍ、隣り合う凸部の間隔を３．５ｍｍ、凸部の高さを０．５ｍｍ、基部の後端の外径φａを３．４ｍｍ、基部の長さを６．０ｍｍ、基部の幅Ｗ１を３．４ｍｍ、ハンドル部の先端の外径φｄを５．０ｍｍ、ハンドル部の先端の角部の曲率半径を１．０ｍｍとした。
【００５６】
［実施例２〜９、比較例２、３］
条件を表１に示すとおりに変更した以外は、実施例１と同様にして歯ぐきケア用具を得た。
【００５７】
［比較例１］
ブラシ成形体を硬質樹脂であるポリプロピレン（商品名「Ｊ−２０２１ＧＲ」、プライムポリマー社製、曲げ弾性率：９５０ＭＰａ）で形成した以外は、実施例１と同様にして歯ぐきケア用具を得た。
【００５８】
［比較例４］
ハンドル体のヘッド部に凸部を設けず、ブラシ成形体の内側に凹部を設けなかった以外は、実施例１と同様にして歯ぐきケア用具を得た。
【００５９】
［評価方法］
各例で得た歯ぐきケア用具を以下の評価方法により評価した。
（組み立て効率）
ハンドル体のヘッド部をブラシ成形体の差込口から差し込み、ブラシ成形体をハンドル体のヘッド部に被せる際の組み立て効率を評価した。評価は、１５名のパネラーによる差し込み開始から差し込み完了までの平均時間を算出し、以下の判定基準に従って評価した。
◎：平均時間が５秒以内。
〇：平均時間が５秒超、１０秒以内。
△：平均時間が１０秒超。
×：ハンドル体のヘッド部をブラシ成形体に差し込むことができない。
【００６０】
（ブラシ成形体の抜け強度）
５本のブラシ成形体をハンドル体のヘッド部に被せた状態で、ブラシ成形体が垂直になるように固定し、ヘッド部先端から３ｍｍの位置を冶具で挟み、オートグラフ  ＡＧＳ−Ｘ（島津製作所社製）を用いて２０ｍｍ／ｍｉｎで上方向に引張り、ブラシ成形体が抜ける際の最大強度を測定した。ブラシ成形体の抜け強度を以下の基準に従って評価した。
◎：５本全てが１５Ｎ以上。
〇：５本中、１０Ｎ以上１５Ｎ未満が１〜２本（１０Ｎ未満は０本）。
△：５本中、１０Ｎ以上１５Ｎ未満が３〜５本（１０Ｎ未満は０本）。
×：５本中１本以上が１０Ｎ未満。
【００６１】
（ブラシ成形体後端部と基部の間の隙間の生じにくさ）
５本のブラシ成形体をハンドル体のヘッド部に被せた状態で、ブラシ成形体が上方かつ垂直になるようにハンドル部を固定し、ヘッド部先端から３ｍｍの位置を冶具で挟み、オートグラフ  ＡＧＳ−Ｘ（島津製作所社製）を用いて２０ｍｍ／ｍｉｎで上方向に引張った。横軸に距離[mm]、縦軸に応力[N]をとり、得られた波形の最初のピークまでの原点からの近似直線の傾きを測定し、ブラシ成形体後端部と基部の間の隙間の生じにくさ（ブラシ成形体の後端部のハンドル部の先端からのズレの生じにくさ）を以下の基準に従って評価した。
◎：５本全ての波形の傾きが４．５以上。
〇：５本中、３．０以上４．５未満が１〜２本（３．０未満はゼロ）。
△：５本中、２．０以上３．０未満が１〜２本（２．０未満はゼロ）。
×：５本中、１本以上が２．０未満。
【００６２】
（ハンドル体の耐折強度）
５本のブラシ成形体を被せない状態で、ヘッド部が鉛直に下向きになるように、ハンドル部先端からヘッド部方向に１ｍｍの位置から鉛直下方部を固定し、アイゾット試験機ＤＧ−ＩＢ（東洋精機社製）を用いて１Ｊのハンマーでハンドル部に衝撃を加えた際の、破壊に要した吸収エネルギーを測定し、ハンドル体の耐折強度を以下の基準に従って評価した。
◎：５本の最小値が０．４０Ｊ／ｍ以上。
〇：５本の最小値が０．２０Ｊ／ｍ以上０．４０Ｊ／ｍ未満。
△：５本の最小値が０．１３Ｊ／ｍ以上０．２０Ｊ／ｍ未満。
×：５本の最小値が０．１３Ｊ／ｍ未満。
【００６３】
（口腔内での操作性）
１０人のモニターが、各例の歯ぐきケア用具で歯ぐきをマッサージし、その際の口腔内での操作性を以下の基準で評価した。１０人のモニターの平均点が、４．２点以上を「◎」、３．０点以上４．２点未満を「○」、２．０以上３．０点未満を「△」、２．０点未満を「×」とした。
５点：「口の中での動かしやすさ」が非常に良い。
４点：「口の中での動かしやすさ」がやや良い。
３点：「口の中での動かしやすさ」がどちらともいえない。
２点：「口の中での動かしやすさ」がやや悪い。
１点：「口の中での動かしやすさ」が非常に悪い。
【００６４】
（ブラシ成形体の型崩れ）
５本のハンドル体とブラシ成形体の組み立て後、使用後のブラシ成形体の外観評価を行い、ブラシ成形体の型崩れを以下の基準で評価した。
４点：組み立て前のブラシ成形体の外観から変化なし。
３点：組み立て前のブラシ成形体の外観とわずかに差がある。
２点：組み立て前のブラシ成形体の外観とやや差がある。
１点：組み立て前のブラシ成形体の外観と明らかに差がある。
５本の平均が４点：◎
５本の平均が３点以上４点未満：○
５本の平均が２点以上３点未満：△
５本の平均が２点未満：×
【００６５】
各例の条件及び評価結果を表１に示す。
【００６６】
【表１】
2020062196.tif 000003
【００６７】
表１に示すように、ブラシ成形体の軟質樹脂のショアＡ硬度が特定の範囲内で、ヘッド部に凸部が設けられた実施例１〜９の歯ぐきケア用具では、組み立て効率が高いうえ、ブラシ成形体が抜けにくく、ブラシ成形体の後端部においてヘッド部の基部との間に隙間が生じにくかった。また、実施例１〜９の歯ぐきケア用具は、ハンドル体が折れにくく、口腔内での操作性に優れ、ブラシ成形体が型崩れしにくかった。
【００６８】
一方、ブラシ成形体を硬質樹脂で形成した比較例１では、ブラシ成形体をハンドル体のヘッド部に取り付けることができなかった。ブラシ成形体を形成する軟質樹脂のショアＡ硬度が低い比較例２では、ブラシ成形体が抜けやすく、ブラシ成形体の後端部においてヘッド部の基部との間に隙間が生じやすく、またブラシ成形体が型崩れしやすかった。ブラシ成形体を形成する軟質樹脂のショアＡ硬度が高い比較例３では、ブラシ成形体をハンドル体のヘッド部に取り付けるのが困難であった。ハンドル体のヘッド部に凸部を設けていない比較例４では、ブラシ成形体が抜けやすく、ブラシ成形体の後端部においてヘッド部の基部との間に隙間が生じやすく、またブラシ成形体が型崩れしやすかった。
【符号の説明】
【００６９】
１…歯ぐきケア用具、１０…ハンドル体、１１…ハンドル部、１１ａ…角部、１２…ヘッド部、１３…基部、１４…拡幅部、１５…凸部、２０…ブラシ成形体、２１…本体部、２２…管状部、２２ａ…差込口、２３…突起部、２４…ブラシ部、２５…凹部、２６…差し込み孔。
【図１】
2020062196.tif 000004
【図２】
2020062196.tif 000005
【図３】
2020062196.tif 000006
【図４】
2020062196.tif 000007
【図５】
2020062196.tif 000008
【図６】
2020062196.tif 000009
【図７】
2020062196.tif 000010
【図８】
2020062196.tif 000011